(57)【要約】【課題】  商品購入者がどの広告を見て商品を購入したかを特定できる、広告効果測定システムを提供する。【解決手段】  ユーザ端末２０からサーバ側５が提供する広告を参照した場合に、ユーザ端末２０内に参照した広告の広告ＩＤを保存しておき、実際の店舗での購買の際に、ユーザ端末２０に登録されている広告ＩＤをユーザ端末情報とともに出力し、この広告ＩＤとユーザ端末情報を店舗側装置５０で読み取りサーバ側５に送信し、サーバ内の購買結果ＤＢ１３に登録する。【選択図】  図２
2006227817.tif 000002
【特許請求の範囲】
【請求項１】
ユーザ端末および店舗端末とネットワーク接続され、広告の対象となる商品・サービスの情報を前記ユーザ端末に提供すると共に、商品・サービスの広告の効果を測定する広告効果測定システムであって、
広告の対象となる商品・サービスを商品ＩＤを付して商品ＤＢに登録する手段と、
商品・サービスの広告情報を広告ＩＤを付して広告ＤＢに登録する手段と、
店舗での商品・サービスの購買が行われた場合に、ユーザ端末により参照された広告の広告ＩＤと、該ユーザ端末のユーザ端末情報とを取得して購買結果ＤＢに登録する手段と、
前記購買結果ＤＢの情報を基にして、広告ＩＤ毎の売上げ総数をカウントする広告効果測定手段と
を備えることを特徴とする広告効果測定システム。
【請求項２】
ユーザ端末および店舗端末とネットワーク接続され、広告の対象となる商品・サービスの情報を前記ユーザ端末に提供すると共に、商品・サービスの広告の効果を測定するサーバを有する広告効果測定システムであって、
前記サーバには、
広告の対象となる商品・サービスを商品ＩＤを付して商品ＤＢに登録する手段と、
商品・サービスの広告情報を広告ＩＤを付して広告ＤＢに登録する手段と、
店舗での商品・サービスの購買情報を広告ＩＤおよびユーザ端末情報と対応付けて購買結果ＤＢに登録する手段と、
ユーザ端末から受信した広告情報取得要求に応じて、広告ＩＤを付した広告情報を前記ユーザ端末に送信する広告提供手段と、
前記店舗端末から、ユーザ端末により参照された広告ＩＤとユーザ端末情報とを含む購買情報を受信し前記購買結果ＤＢに登録する手段と、
前記購買結果ＤＢの情報を基にして、広告ＩＤ毎の売上げ総数をカウントする広告効果測定手段と
を備え、
前記ユーザ端末には、
前記サーバの広告提供手段から受信した広告情報の広告ＩＤを保存する視聴広告登録手段と、
前記視聴広告登録手段に保存した広告ＩＤとユーザ端末情報とを表示する端末内部データ表示手段と
を備え、
前記店舗端末には、
前記ユーザ端末の端末内部データ表示手段により表示された広告ＩＤとユーザ端末情報とを読み取る端末登録情報読取手段と、
前記端末登録情報読取手段によりユーザ端末から読み取った広告ＩＤとユーザ端末情報とを購買情報として前記サーバに送信する購買情報送信手段と
を備えることを特徴とする広告効果測定システム。
【請求項３】
前記ユーザ端末の端末内部データ表示手段により表示されるデータ形式が、バーコードであること
を特徴とする請求項２に記載の広告効果測定システム。
【請求項４】
ユーザ端末および店舗端末とネットワーク接続され、広告の対象となる商品・サービスの情報を前記ユーザ端末に提供すると共に、商品・サービスの広告の効果を測定するサーバを有する広告効果測定システムであって、
前記サーバには、
広告の対象となる商品・サービスを商品ＩＤを付して商品ＤＢに登録する手段と、
商品・サービスの広告情報を広告ＩＤを付して広告ＤＢに登録する手段と、
店舗での商品・サービスの購買情報を商品ＩＤおよびユーザ端末情報と対応付けて購買結果ＤＢに登録する手段と、
ユーザ端末から受信した広告情報取得要求に応じて、広告ＩＤを付した広告情報を前記ユーザ端末に送信する広告提供手段と、
前記広告提供手段によりユーザ端末に広告情報を送信した場合に、ユーザ端末に送信した広告ＩＤとユーザ端末情報と商品ＩＤとを参照結果ＤＢに登録する手段と、
前記ユーザ端末から、商品ＩＤとユーザ端末情報とを含む購買情報を受信し購買結果ＤＢに登録する手段と、
前記参照結果ＤＢと前記購買結果ＤＢの情報を基にして、広告ＩＤ毎の売上げ総数をカウントする広告効果測定手段と
を備え、
前記店舗端末には、
購買された商品・サービスの商品ＩＤを含む購買情報を出力する購買情報出力手段を備え、
前記ユーザ端末には、
前記店舗端末の購買情報出力手段により出力された前記購買情報を読み取る購買情報読取手段と、
前記購買情報読取手段により店舗端末から読み取った購買情報をユーザ端末情報と共に前記サーバに送信する購買情報送信手段と
を備えることを特徴とする広告効果測定システム。
【請求項５】
前記店舗端末の購買情報出力手段により出力されるデータ形式が、バーコードであること
を特徴とする請求項４に記載の広告効果測定システム。
【請求項６】
ユーザ端末および店舗端末とネットワーク接続され、広告の対象となる商品・サービスの情報を前記ユーザ端末に提供すると共に、商品・サービスの広告の効果を測定する広告効果測定システムにおける広告効果測定方法であって、
広告の対象となる商品・サービスを商品ＩＤを付して商品ＤＢに登録する手順と、
商品・サービスの広告情報を広告ＩＤを付して広告ＤＢに登録する手順と、
店舗での商品・サービスの購買が行われた場合に、ユーザ端末により参照された広告の広告ＩＤと、該ユーザ端末のユーザ端末情報とを取得して購買結果ＤＢに登録する手順と、
前記購買結果ＤＢの情報を基にして、広告ＩＤ毎の売上げ総数をカウントする広告効果測定手順と
を含むことを特徴とする広告効果測定方法。
【請求項７】
ユーザ端末および店舗端末とネットワーク接続され、広告の対象となる商品・サービスの情報を前記ユーザ端末に提供すると共に、商品・サービスの広告の効果を測定するサーバを有する広告効果測定システムにおける広告効果測定方法であって、
前記サーバにより、
広告の対象となる商品・サービスを商品ＩＤを付して商品ＤＢに登録する手順と、
商品・サービスの広告情報を広告ＩＤを付して広告ＤＢに登録する手順と、
店舗での商品・サービスの購買情報を広告ＩＤおよびユーザ端末情報と対応付けて購買結果ＤＢに登録する手順と、
ユーザ端末から受信した広告情報取得要求に応じて、広告ＩＤを付した広告情報を前記ユーザ端末に送信する広告提供手順と、
前記店舗端末から、ユーザ端末により参照された広告ＩＤとユーザ端末情報とを含む購買情報を受信し前記購買結果ＤＢに登録する手順と、
前記購買結果ＤＢの情報を基にして、広告ＩＤ毎の売上げ総数をカウントする広告効果測定手順と
が行われ、
前記ユーザ端末により、
前記サーバの広告提供手順から受信した広告情報の広告ＩＤを保存する視聴広告登録手順と、
前記視聴広告登録手順により保存した広告ＩＤとユーザ端末情報とを表示する端末内部データ表示手順と
が行なわれ、
前記店舗端末により、
前記ユーザ端末の端末内部データ表示手順により表示された広告ＩＤとユーザ端末情報とを読み取る端末登録情報読取手順と、
前記端末登録情報読取手順によりユーザ端末から読み取った広告ＩＤとユーザ端末情報とを購買情報として前記サーバに送信する購買情報送信手順と
が行われることを特徴とする広告効果測定方法。
【請求項８】
ユーザ端末および店舗端末とネットワーク接続され、広告の対象となる商品・サービスの情報を前記ユーザ端末に提供すると共に、商品・サービスの広告の効果を測定するサーバを有する広告効果測定システムにおける広告効果測定方法であって、
前記サーバにより、
広告の対象となる商品・サービスを商品ＩＤを付して商品ＤＢに登録する手順と、
商品・サービスの広告情報を広告ＩＤを付して広告ＤＢに登録する手順と、
店舗での商品・サービスの購買情報を商品ＩＤおよびユーザ端末情報と対応付けて購買結果ＤＢに登録する手順と、
ユーザ端末から受信した広告情報取得要求に応じて、広告ＩＤを付した広告情報を前記ユーザ端末に送信する広告提供手順と、
前記広告提供手順によりユーザ端末に広告情報を送信した場合に、ユーザ端末に送信した広告ＩＤとユーザ端末情報と商品ＩＤとを参照結果ＤＢに登録する手順と、
前記ユーザ端末から、商品ＩＤとユーザ端末情報とを含む購買情報を受信し購買結果ＤＢに登録する手順と、
前記参照結果ＤＢと前記購買結果ＤＢの情報を基にして、広告ＩＤ毎の売上げ総数をカウントする広告効果測定手順と
が行われ、
前記店舗端末により、
購買された商品・サービスの商品ＩＤを含む購買情報を出力する購買情報出力手順が行われ、
前記ユーザ端末により、
前記店舗端末の購買情報出力手順により出力された前記購買情報を読み取る購買情報読取手順と、
前記購買情報読取手順により店舗端末から読み取った購買情報をユーザ端末情報と共に前記サーバに送信する購買情報送信手順と
が行なわれることを特徴とする広告効果測定方法。
【請求項９】
ユーザ端末および店舗端末とネットワーク接続され、広告の対象となる商品・サービスの情報を前記ユーザ端末に提供すると共に、商品・サービスの広告の効果を測定する広告効果測定システム内のコンピュータに、
広告の対象となる商品・サービスを商品ＩＤを付して商品ＤＢに登録する手順と、
商品・サービスの広告情報を広告ＩＤを付して広告ＤＢに登録する手順と、
店舗での商品・サービスの購買が行われた場合に、ユーザ端末により参照された広告の広告ＩＤと、該ユーザ端末のユーザ端末情報とを取得して購買結果ＤＢに登録する手順と、
前記購買結果ＤＢの情報を基にして、広告ＩＤ毎の売上げ総数をカウントする広告効果測定手順と
を実行させるためのプログラム。
【発明の詳細な説明】
【技術分野】
【０００１】
本発明は、広告効果測定システム、広告効果測定方法、およびプログラムに関し、特に、商品購入者がどの広告を見て商品を購入したかを特定できる、広告効果測定システム、広告効果測定方法、およびプログラムに関する。
【背景技術】
【０００２】
インターネットなどのコンピュータ上のネットワーク上で提供する、商品又はサービスの広告情報に関して、オンラインショッピングではない受信者のリアル店舗（実際に実在する店舗）での当該商品又はサービスに対する購買情報を獲得することによって、オンラインによる購買実績の確認と、購買実績に応じた広告手数料の算出、及び購買者のデータ分析や不買理由アンケート調査の実施を可能にする従来技術が開示されている（例えば、特許文献１参照）。
【０００３】
上記従来技術では、ユーザが受け取った広告を基に購買に至ったかどうかを、広告を受け取ったユーザの購買結果で判断しているが、これには次のような問題点がある。
【０００４】
第１の問題点として、同一商品・サービスに対する広告提供者が複数存在しており、ユーザがそれぞれの広告を参照した後に購買に至った場合、どの広告が購買の決め手になったかが分からない。
【０００５】
第２の問題点として、広告が配信された上で、ユーザが広告に記載の商品・サービスを購入した場合は、例え広告を参照せずに購入した場合でも、広告により購買することになったことになる。
【特許文献１】特開２００３−１６２６７０号公報
【発明の開示】
【発明が解決しようとする課題】
【０００６】
上記従来技術では、以下のようなサービスを考える場合、さらに問題が生じることになる。
第１に、同一商品・サービスに対する広告を、複数の広告提供者それぞれが、個人のホームページ等に掲載などした場合、広告主はどの広告提供者に対して広告料を払うべきかがわからなくなる。
第２に、広告提供者が例えばメールなどで広告を大量に送信すると、広告主は実際に広告の効果があったのかがわかりづらくなり、本来必要の無い広告料も広告提供者に支払う必要が生じる。
【０００７】
本発明はこのような問題を解決するためになされたもので、その目的は、同一商品・サービスに対する広告を多数の広告提供者が作成した場合でも、どの広告により効果が上がったのかを把握することを可能にし、さらに、広告を見た商品購入者を特定でき、広告の効果がどのくらい上がっているかを確実に知ることができる、広告効果測定システム、広告効果測定方法、およびプログラムを提供することにある。
【課題を解決するための手段】
【０００８】
本発明は上記課題を解決するためになされたものであり、本発明の広告効果測定システムは、ユーザ端末および店舗端末とネットワーク接続され、広告の対象となる商品・サービスの情報を前記ユーザ端末に提供すると共に、商品・サービスの広告の効果を測定する広告効果測定システムであって、広告の対象となる商品・サービスを商品ＩＤを付して商品ＤＢに登録する手段と、商品・サービスの広告情報を広告ＩＤを付して広告ＤＢに登録する手段と、店舗での商品・サービスの購買が行われた場合に、ユーザ端末により参照された広告の広告ＩＤと、該ユーザ端末のユーザ端末情報とを取得して購買結果ＤＢに登録する手段と、前記購買結果ＤＢの情報を基にして、広告ＩＤ毎の売上げ総数をカウントする広告効果測定手段とを備えることを特徴とする。
これにより、どのユーザがどの広告を見て、何を買ったかを結びつけることができるようになる。このため、同一商品・サービスに対する広告を多数の広告提供者が作成した場合でも、どの広告により効果があがったのかを把握することが可能になり、報酬の支払いなどで問題が生じなくなる。さらに、また、広告を確実に見た商品購入者を特定でき、広告の効果がどのくらい上がっているかを確実に知ることが出来る。
【０００９】
また、本発明の広告効果測定システムは、ユーザ端末および店舗端末とネットワーク接続され、広告の対象となる商品・サービスの情報を前記ユーザ端末に提供すると共に、商品・サービスの広告の効果を測定するサーバを有する広告効果測定システムであって、前記サーバには、広告の対象となる商品・サービスを商品ＩＤを付して商品ＤＢに登録する手段と、商品・サービスの広告情報を広告ＩＤを付して広告ＤＢに登録する手段と、店舗での商品・サービスの購買情報を広告ＩＤおよびユーザ端末情報と対応付けて購買結果ＤＢに登録する手段と、ユーザ端末から受信した広告情報取得要求に応じて、広告ＩＤを付した広告情報を前記ユーザ端末に送信する広告提供手段と、前記店舗端末から、ユーザ端末により参照された広告ＩＤとユーザ端末情報とを含む購買情報を受信し前記購買結果ＤＢに登録する手段と、前記購買結果ＤＢの情報を基にして、広告ＩＤ毎の売上げ総数をカウントする広告効果測定手段とを備え、前記ユーザ端末には、前記サーバの広告提供手段から受信した広告情報の広告ＩＤを保存する視聴広告登録手段と、前記視聴広告登録手段に保存した広告ＩＤとユーザ端末情報とを表示する端末内部データ表示手段とを備え、前記店舗端末には、前記ユーザ端末の端末内部データ表示手段により表示された広告ＩＤとユーザ端末情報とを読み取る端末登録情報読取手段と、前記端末登録情報読取手段によりユーザ端末から読み取った広告ＩＤとユーザ端末情報とを購買情報として前記サーバに送信する購買情報送信手段とを備えることを特徴とする。
これにより、どのユーザがどの広告を見て、何を買ったかを結びつけることができるようになる。このため、同一商品・サービスに対する広告を多数の広告提供者が作成した場合でも、どの広告により効果があがったのかを把握することが可能になり、報酬の支払いなどで問題が生じなくなる。さらに、また、広告を確実に見た商品購入者を特定でき、広告の効果がどのくらい上がっているかを確実に知ることが出来る。
【００１０】
また、本発明の広告効果測定システムは、前記ユーザ端末の端末内部データ表示手段により表示されるデータ形式が、バーコードであることを特徴とする。
これにより、店舗端末では、ユーザ端末に表示された広告ＩＤとユーザ端末情報を容易に読み取ることができる。
【００１１】
また、本発明の広告効果測定システムは、ユーザ端末および店舗端末とネットワーク接続され、広告の対象となる商品・サービスの情報を前記ユーザ端末に提供すると共に、商品・サービスの広告の効果を測定するサーバを有する広告効果測定システムであって、前記サーバには、広告の対象となる商品・サービスを商品ＩＤを付して商品ＤＢに登録する手段と、商品・サービスの広告情報を広告ＩＤを付して広告ＤＢに登録する手段と、店舗での商品・サービスの購買情報を商品ＩＤおよびユーザ端末情報と対応付けて購買結果ＤＢに登録する手段と、ユーザ端末から受信した広告情報取得要求に応じて、広告ＩＤを付した広告情報を前記ユーザ端末に送信する広告提供手段と、前記広告提供手段によりユーザ端末に広告情報を送信した場合に、ユーザ端末に送信した広告ＩＤとユーザ端末情報と商品ＩＤとを参照結果ＤＢに登録する手段と、前記ユーザ端末から、商品ＩＤとユーザ端末情報とを含む購買情報を受信し購買結果ＤＢに登録する手段と、前記参照結果ＤＢと前記購買結果ＤＢの情報を基にして、広告ＩＤ毎の売上げ総数をカウントする広告効果測定手段とを備え、前記店舗端末には、購買された商品・サービスの商品ＩＤを含む購買情報を出力する購買情報出力手段を備え、前記ユーザ端末には、前記店舗端末の購買情報出力手段により出力された前記購買情報を読み取る購買情報読取手段と、前記購買情報読取手段により店舗端末から読み取った購買情報をユーザ端末情報と共に前記サーバに送信する購買情報送信手段とを備えることを特徴とする。
これにより、どのユーザがどの広告を見て、何を買ったかを結びつけることができるようになる。このため、同一商品・サービスに対する広告を多数の広告提供者が作成した場合でも、どの広告により効果があがったのかを把握することが可能になり、報酬の支払いなどで問題が生じなくなる。さらに、また、広告を確実に見た商品購入者を特定でき、広告の効果がどのくらい上がっているかを確実に知ることが出来る。
【００１２】
また、本発明の広告効果測定システムは、前記店舗端末の購買情報出力手段により出力されるデータ形式が、バーコードであることを特徴とする。
これにより、店舗端末では購買情報を容易に出力できるようになる。
【００１３】
また、本発明の広告効果測定方法は、ユーザ端末および店舗端末とネットワーク接続され、広告の対象となる商品・サービスの情報を前記ユーザ端末に提供すると共に、商品・サービスの広告の効果を測定する広告効果測定システムにおける広告効果測定方法であって、広告の対象となる商品・サービスを商品ＩＤを付して商品ＤＢに登録する手順と、商品・サービスの広告情報を広告ＩＤを付して広告ＤＢに登録する手順と、店舗での商品・サービスの購買が行われた場合に、ユーザ端末により参照された広告の広告ＩＤと、該ユーザ端末のユーザ端末情報とを取得して購買結果ＤＢに登録する手順と、前記購買結果ＤＢの情報を基にして、広告ＩＤ毎の売上げ総数をカウントする広告効果測定手順とを含むことを特徴とする。
これにより、どのユーザがどの広告を見て、何を買ったかを結びつけることができるようになる。このため、同一商品・サービスに対する広告を多数の広告提供者が作成した場合でも、どの広告により効果があがったのかを把握することが可能になり、報酬の支払いなどで問題が生じなくなる。さらに、また、広告を確実に見た商品購入者を特定でき、広告の効果がどのくらい上がっているかを確実に知ることが出来る。
【００１４】
また、本発明の広告効果測定方法は、ユーザ端末および店舗端末とネットワーク接続され、広告の対象となる商品・サービスの情報を前記ユーザ端末に提供すると共に、商品・サービスの広告の効果を測定するサーバを有する広告効果測定システムにおける広告効果測定方法であって、前記サーバにより、広告の対象となる商品・サービスを商品ＩＤを付して商品ＤＢに登録する手順と、商品・サービスの広告情報を広告ＩＤを付して広告ＤＢに登録する手順と、店舗での商品・サービスの購買情報を広告ＩＤおよびユーザ端末情報と対応付けて購買結果ＤＢに登録する手順と、ユーザ端末から受信した広告情報取得要求に応じて、広告ＩＤを付した広告情報を前記ユーザ端末に送信する広告提供手順と、前記店舗端末から、ユーザ端末により参照された広告ＩＤとユーザ端末情報とを含む購買情報を受信し前記購買結果ＤＢに登録する手順と、前記購買結果ＤＢの情報を基にして、広告ＩＤ毎の売上げ総数をカウントする広告効果測定手順とが行われ、前記ユーザ端末により、前記サーバの広告提供手順から受信した広告情報の広告ＩＤを保存する視聴広告登録手順と、前記視聴広告登録手順により保存した広告ＩＤとユーザ端末情報とを表示する端末内部データ表示手順とが行なわれ、前記店舗端末により、前記ユーザ端末の端末内部データ表示手順により表示された広告ＩＤとユーザ端末情報とを読み取る端末登録情報読取手順と、前記端末登録情報読取手順によりユーザ端末から読み取った広告ＩＤとユーザ端末情報とを購買情報として前記サーバに送信する購買情報送信手順とが行われることを特徴とする。
これにより、どのユーザがどの広告を見て、何を買ったかを結びつけることができるようになる。このため、同一商品・サービスに対する広告を多数の広告提供者が作成した場合でも、どの広告により効果があがったのかを把握することが可能になり、報酬の支払いなどで問題が生じなくなる。さらに、また、広告を確実に見た商品購入者を特定でき、広告の効果がどのくらい上がっているかを確実に知ることが出来る。
【００１５】
また、本発明の広告効果測定方法は、ユーザ端末および店舗端末とネットワーク接続され、広告の対象となる商品・サービスの情報を前記ユーザ端末に提供すると共に、商品・サービスの広告の効果を測定するサーバを有する広告効果測定システムにおける広告効果測定方法であって、前記サーバにより、広告の対象となる商品・サービスを商品ＩＤを付して商品ＤＢに登録する手順と、商品・サービスの広告情報を広告ＩＤを付して広告ＤＢに登録する手順と、店舗での商品・サービスの購買情報を商品ＩＤおよびユーザ端末情報と対応付けて購買結果ＤＢに登録する手順と、ユーザ端末から受信した広告情報取得要求に応じて、広告ＩＤを付した広告情報を前記ユーザ端末に送信する広告提供手順と、前記広告提供手順によりユーザ端末に広告情報を送信した場合に、ユーザ端末に送信した広告ＩＤとユーザ端末情報と商品ＩＤとを参照結果ＤＢに登録する手順と、前記ユーザ端末から、商品ＩＤとユーザ端末情報とを含む購買情報を受信し購買結果ＤＢに登録する手順と、前記参照結果ＤＢと前記購買結果ＤＢの情報を基にして、広告ＩＤ毎の売上げ総数をカウントする広告効果測定手順とが行われ、前記店舗端末により、購買された商品・サービスの商品ＩＤを含む購買情報を出力する購買情報出力手順が行われ、前記ユーザ端末により、前記店舗端末の購買情報出力手順により出力された前記購買情報を読み取る購買情報読取手順と、前記購買情報読取手順により店舗端末から読み取った購買情報をユーザ端末情報と共に前記サーバに送信する購買情報送信手順とが行なわれることを特徴とする。
これにより、どのユーザがどの広告を見て、何を買ったかを結びつけることができるようになる。このため、同一商品・サービスに対する広告を多数の広告提供者が作成した場合でも、どの広告により効果があがったのかを把握することが可能になり、報酬の支払いなどで問題が生じなくなる。さらに、また、広告を確実に見た商品購入者を特定でき、広告の効果がどのくらい上がっているかを確実に知ることが出来る。
【００１６】
また、本発明のコンピュータプログラムは、ユーザ端末および店舗端末とネットワーク接続され、広告の対象となる商品・サービスの情報を前記ユーザ端末に提供すると共に、商品・サービスの広告の効果を測定する広告効果測定システム内のコンピュータに、広告の対象となる商品・サービスを商品ＩＤを付して商品ＤＢに登録する手順と、商品・サービスの広告情報を広告ＩＤを付して広告ＤＢに登録する手順と、店舗での商品・サービスの購買が行われた場合に、ユーザ端末により参照された広告の広告ＩＤと、該ユーザ端末のユーザ端末情報とを取得して購買結果ＤＢに登録する手順と、前記購買結果ＤＢの情報を基にして、広告ＩＤ毎の売上げ総数をカウントする広告効果測定手順とを実行させるためのプログラムである。
【発明の効果】
【００１７】
本発明の広告効果測定システムおよび広告効果測定方法においては、広告の対象となる商品・サービスを商品ＩＤを付して商品ＤＢに登録し、商品・サービスの広告情報を広告ＩＤを付して広告ＤＢに登録し、また、実際の店舗での商品・サービスの購買の際に、ユーザ端末により参照された広告の広告ＩＤとユーザ端末情報とを購買結果ＤＢに登録するようにしたので、これにより、どのユーザがどの広告を見て、何を買ったかを結びつけることができるようになる。このため、同一商品・サービスに対する広告を多数の広告提供者が作成した場合でも、どの広告により効果があがったのかを把握することが可能になり、報酬の支払いなどで問題が生じなくなる。さらに、また、広告を確実に見た商品購入者を特定でき、広告の効果がどのくらい上がっているかを確実に知ることが出来る。
【００１８】
また、本発明の広告効果測定システムおよび広告効果測定方法においては、ユーザ端末からサーバが提供する広告を参照した場合に、ユーザ端末内に参照した広告の広告ＩＤを保存しておき、実際の店舗での商品・サービスの購買の際に、ユーザ端末に登録されている広告ＩＤをユーザ端末情報とともに出力し、この広告ＩＤとユーザ端末情報を店舗端末で読み取りサーバ側に送信し、サーバ内の購買結果ＤＢに登録するようにしたので、これにより、どのユーザがどの広告を見て、何を買ったかを結びつけることができるようになる。このため、同一商品・サービスに対する広告を多数の広告提供者が作成した場合でも、どの広告により効果があがったのかを把握することが可能になり、報酬の支払いなどで問題が生じなくなる。さらに、また、広告を確実に見た商品購入者を特定でき、広告の効果がどのくらい上がっているかを確実に知ることが出来る。
【００１９】
また、本発明の広告効果測定システムにおいては、ユーザ端末に保存された広告ＩＤとユーザ端末情報をバーコードで表示するようにしたので、これにより、店舗端末では、ユーザ端末に表示された広告ＩＤとユーザ端末情報を容易に読み取ることができる。
【００２０】
また、本発明の広告効果測定システムおよび広告効果測定方法においては、ユーザ端末によりサーバが提供する広告が参照された場合に、サーバの参照結果ＤＢに広告ＩＤ、ユーザ端末情報、商品ＩＤ等の広告参照情報を保存しておき、実際の店舗での商品・サービスの購買の際に、店舗端末から出力された商品ＩＤ等の購買情報をユーザ端末により読み取り、該購買情報とユーザ端末情報をサーバに送信し購買結果ＤＢに登録するようにしたので、これにより、どのユーザがどの広告を見て、何を買ったかを結びつけることができるようになる。このため、同一商品・サービスに対する広告を多数の広告提供者が作成した場合でも、どの広告により効果があがったのかを把握することが可能になり、報酬の支払いなどで問題が生じなくなる。さらに、また、広告を確実に見た商品購入者を特定でき、広告の効果がどのくらい上がっているかを確実に知ることが出来る。
【００２１】
また、本発明の広告効果測定システムにおいては、店舗端末から出力される購買情報をバーコードで出力するようにしたので、これにより、店舗端末では購買情報を容易に出力できるようになる。
【発明を実施するための最良の形態】
【００２２】
次に本発明を実施するための最良の形態について図面を参照して説明する。
［本発明の概要の説明］
本発明の広告効果測定システムでは、広告主が広告対象となる商品を選択して、最終的に広告提供者に対して広告料の支払いがなされるまでを一連の流れとして処理している。本発明の広告効果測定システムの概要を図１に示す。
【００２３】
図１に示す広告効果測定システムにおいて、広告主２は、広告の対象となる商品・サービスを商品ＩＤを付与して商品ＤＢ（データベース）１１に登録する（ステップＳ１）。次に、広告提供者３はその商品ＤＢ１１に存在する商品・サービスの情報を基に、広告を作成し、広告ＩＤを付与して広告ＤＢ１２に登録する（ステップＳ２、Ｓ３）。広告提供者３はこの登録された広告を商品購入者４に対してＷｅｂページ等の何らかの形で提供可能にしておく。
【００２４】
商品購入者４は、広告提供者３により提供されている広告（例えば、Ｗｅｂページ等）を参照し、商品・サービスの購入を行い、その結果を購買結果ＤＢ１３に保存する（ステップＳ４、Ｓ５）。その際には商品購入者４がどの広告を見て購買に至ったか（または広告を見ずに購買を行ったか）という広告参照情報も登録する。そして、その購買結果ＤＢ１３の中の広告参照情報を基にして、広告主２が広告提供者３に対して報酬を支払う（ステップＳ６、Ｓ７）。
【００２５】
この一連の流れの中で本発明の要点となるところは、ステップＳ４、Ｓ５の部分で、商品購入者４による広告の参照情報を保存して、購入の際にそれらのデータを利用して確認を行うことで、商品購入者４がどの広告を見て購入に至ったかの経路を明確にする。
【００２６】
ステップＳ５の購買結果登録のステップで、購買結果ＤＢ１３にどの商品購入者４が、どの広告を見て、どこで何を購入したかを登録することになるが、本発明での広告の参照情報の保存方法は商品購入者側のユーザ端末に保持する方法と、広告参照時に参照結果を記録するサーバを用意する方法の２つの方法がある。各方法の概要それぞれ図２、図３に示す。
【００２７】
最初に、図２を参照して、広告の参照情報をユーザ側のユーザ端末に保存する方式について説明する。
まずユーザがユーザ端末２０により、広告提供装置３０がＷｅｂページ等で提供する広告を参照すると（ステップＳ１１）、それに応じてユーザ端末２０に参照した広告の広告ＩＤ（例えば、０００１）が保存される（ステップＳ１２）。リアル店舗（実際に実在する店舗）での購買の際に、例えばユーザ端末２０に登録されている広告ＩＤを２次元バーコード等で出力し、この２次元バーコードを店舗側装置５０の端末で読み取り（ステップＳ１３）、店舗側装置５０からサーバ側５の商品・広告管理装置４０の購買結果ＤＢ１３に端末情報（端末ＩＤ）と広告ＩＤを登録する等、何らかの手段を利用して購買結果をサーバ側５に登録する（ステップＳ１４）。これにより、どのユーザがどの広告を見て、何を買ったかを結びつけることができるようになる。この方式を、以下方式Ａと呼ぶ。
【００２８】
次に、図３を参照してサーバ側に広告の参照情報を保存する方式について説明する。
ユーザがユーザ端末２０により広告提供装置３０がＷｅｂページ等で提供する広告を参照すると（ステップＳ２１）、それに応じてサーバ側６の参照情報管理装置６０の参照結果ＤＢ１４に参照情報が保存される（ステップＳ２２）。
【００２９】
そして、リアル店舗での購買の際に、店舗側装置５０のレシート等に出力された購買情報（例えば、バーコード＜１次元バーコード，２次元バーコード等＞）を、ユーザ端末２０により読み取り（ステップＳ２３）、該ユーザ端末２０から購買情報管理装置７０の購買結果ＤＢ１３に登録する等、何らかの手段を利用して、購買情報を購サーバ側６に登録することで（ステップＳ２４）、どのユーザがどの広告を見て、何を買ったかを結びつけることができるようになる（ステップＳ２５）。この方式を、以下方式Ｂとする。
【００３０】
［方式Ａによる広告効果測定システムの構成例の説明］
最初に方式Ａによる広告効果測定システムの構成例について説明する。
図４は、方式Ａによる広告効果測定システムの構成例を示す図であり、図４に示す例では、ユーザ端末２０と広告提供装置３０とがネットワークを介して接続され、広告提供装置３０と商品・広告管理装置４０とがネットワークを介して接続され、店舗側装置５０と商品・広告管理装置４０とがネットワークを介して接続されている。それ以外の部分では直接ネットワーク接続が無くても構わない。
【００３１】
以下、広告効果測定システムを構成する各装置の概要について説明する。
商品・広告管理装置４０は、広告主が商品・サービス、広告管理者についてのデータを管理するための装置であり、また、広告主、広告提供者が広告を作成し、管理するための装置である。また、購買結果も登録し、それに基づく広告の効果も測定する。例えば広告主が提供するＷＷＷサーバ及び各種データベースからなるＷＥＢシステムであり、商品一覧、広告一覧、広告主一覧などを権限に応じて閲覧可能な情報の参照や、広告提供者による広告の登録などを行うものである。
【００３２】
広告提供装置３０は、広告提供者が各商品・サービス毎の広告を提供する装置であり、広告提供者ごとに存在する。提供する広告は、商品・広告管理装置４０の広告ＤＢ４６の内部に存在するいずれかのデータであり、広告主、または広告提供者が作成したものである。例えば個人のホームページを掲載しているＷＷＷサーバであり、リアルの店舗で販売されている商品や、提供されているサービスに関する広告が掲載されている。
【００３３】
ユーザ端末２０は、商品購入者が広告提供装置３０にアクセスするための端末であり、主に携帯電話やＰＤＡ等のモバイル端末が使用されるが、端末内部データ表示部２３により表示されたデータ（例えば、２次元バーコード）が、店舗側装置５０の端末登録情報読み取り部５１でアクセス可能（読み取り可能）であれば、デスクトップＰＣやノートＰＣなど、ネットワーク接続可能な機器全てが対象になる。
【００３４】
店舗側装置（店舗端末）５０は、商品購入者が商品・サービスを購入する際に、ユーザ端末２０に表示される広告閲覧情報（例えば、２次元バーコード）を読み取り、店舗情報、商品情報を付加して購買情報管理装置７０に送信するための装置であり、例えばＰＯＳ機器や２次元バーコード読み取り機、非接触ＩＣカード読み取り機等のようなもので、店舗の店員がユーザ端末２０上の情報を読み取るために利用する。
【００３５】
次に、図４に示す広告効果測定システムにおける各装置内が有する各機能部について説明する。最初に、商品・広告管理装置４０内の各機能部について説明する。
商品・広告管理装置４０内の通信処理部４１は、広告主による商品登録要求の情報を受け付ける。また、広告主、広告提供者による広告登録要求の情報を受け付ける。また、店舗側装置５０から購買結果データとして、端末情報（端末ＩＤ）、広告ＩＤ、広告の視聴日時データ、店舗ＩＤを受信する。
【００３６】
商品登録部４２は、通信処理部４１から受け取った商品登録要求を基に、商品ＤＢ４３にレコードを追加する。商品名の他、価格、広告主情報を最低限入力し、商品を一意に定める商品ＩＤに対応付けて商品ＤＢ４３に記録する。
【００３７】
広告登録部４４は、通信処理部４１から受け取った広告登録要求を基に、広告ＤＢ４６にレコードを追加する。登録時には広告対象となる商品の商品ＩＤ、及び広告登録者のＩＤを最低限入力し、広告を一意に定める広告ＩＤに対応付けて広告ＤＢ４６に記録する。
【００３８】
購買結果登録部４８は、店舗側装置５０から端末情報（端末ＩＤ）、広告ＩＤ、視聴日時データ、店舗ＩＤを受け取り、広告ＤＢ４６から、広告ＩＤをキーとして商品ＩＤを受け取り、購買結果ＤＢ４９に格納する。
【００３９】
広告効果測定部（広告効果測定手段）４７は、購買結果登録部４８による購買結果ＤＢ４９への登録結果に基づいて、広告ＤＢ４６の売り上げ総数を変更する。購買結果ＤＢ４９の１レコード毎に広告ＩＤをキーにして、対応する広告ＤＢ４６の売り上げ総数を＋１ずつ増加していく。この結果を利用して、広告主は広告提供者に対して報酬額を算出する。
【００４０】
商品ＤＢ４３には、広告する対象となる商品に関する情報が格納されている。例えば、図５に示すように、商品ＤＢ４３には、商品ＩＤをキーとして、商品名等が登録される。
広告ＤＢ４６には、広告そのものに関する情報が格納されている。例えば、図５に示すように、広告ＤＢ４６には、広告ＩＤをキーとして、商品ＩＤ、広告提供者ＩＤ、売る上げ総数、広告形式、広告内容の情報が登録される。
広告提供者ＤＢ４５には、広告提供者に関する情報が格納されている。例えば、図５に示すように、広告提供者ＤＢ４５には、広告提供者ＩＤをキーに、ユーザ名等が記録される。
また、購買結果ＤＢ４９には、購買結果情報が格納されている。例えば、図５に示すように、購買結果ＤＢ４９には、端末ＩＤ、広告ＩＤ、店舗ＩＤ、広告参照日時、購買日時の情報が記録される。
【００４１】
次に、広告提供装置３０内の各機能部について説明する。
広告提供装置３０内の通信処理部３１は、ユーザ端末２０からの広告要求電文を受信し、ユーザ端末２０へ広告応答電文を送信する。
広告提供部（広告提供手段）３２は、ユーザ端末２０からの広告要求電文に応じて、広告情報を返す。広告提供部３２が返す広告情報は、商品・広告管理装置４０の広告提供者ＤＢ４５に格納されているいずれかの１レコードに対応する情報となっており、それらの管理は広告提供者が広告提供装置３０を公開する際に行う。
【００４２】
次に、ユーザ端末２０内の各機能部について説明する。
ユーザ端末２０内の通信処理部２１は、広告提供装置３０へ広告要求電文を送信する。また、広告提供装置３０から広告応答電文を受信する。通常、広告要求電文が作成されるのは、ユーザ端末２０で広告提供者のＷｅｂページなどに存在する広告にアクセスした際や、広告提供者から広告メールを受け取り、メールに書かれた広告のＵＲＬなどにアクセスした場合である。
【００４３】
広告表示部２２は、通信処理部２１より受け取った広告電文を表示する。広告電文の内容は、ＨＴＭＬ文書や、画像ファイルなど、広告表示部２２で表示可能な形式であれば、形式は問わない。
【００４４】
端末内部データ表示部（端末内部データ表示手段）２３は、端末情報ＤＢ２４、視聴広告登録ＤＢ（視聴広告登録手段）２５に登録されているデータを基に、店舗側装置５０の端末登録情報読み取り部５１で読み取り可能な形式に変換して表示する。読み取り可能な形式であれば、例えば２次元バーコードやＩＣチップなどを利用した形式など、詳細は問わない。この機能は、実際に広告を見た商品を店頭で購入する際に、広告を見て購入したことを示すために、商品購入者が明示的に視聴広告登録ＤＢ２５から広告を選択して、表示させる。
【００４５】
端末情報ＤＢ２４には、ユーザ端末２０が一意に識別可能な情報が格納されている。例えば、図５に示すように、携帯電話なら電話番号であったり、広告サービスで登録されてあるユーザＩＤであったりと、詳細は問わない。
視聴広告登録ＤＢ２５には、ユーザ端末２０により視聴した広告に関する情報が格納されている。例えば、図５に示すように、広告ＩＤ、広告参照日時などの情報が記録されている。
【００４６】
なお、図４に示す広告効果測定システムにおいて、広告提供装置３０、商品・広告管理装置４０は、１つのサーバ内に設けるようにしてもよい。
【００４７】
次に、店舗側装置５０内の各機能について説明する。
店舗側装置５０内の端末登録情報読み取り部（端末登録情報読取手段）５１は、ユーザ端末２０の端末内部データ表示部２３で表示された情報を読み取る。ユーザ端末２０の端末内部データ表示部２３で出力した形式を読み取ることができるのであれば、２次元バーコードやＩＣチップから発せられる無線信号など、詳細は問わない。読み取った情報を、端末情報（端末ＩＤ）及び視聴広告登録情報（広告ＩＤ、広告視聴日時）として解釈する。
【００４８】
店舗情報ＤＢ５２には、ユーザが商品・サービスを購入する店舗の情報が格納されている。例えば、図５に示すように、店舗情報ＤＢ５１には、店舗ＩＤをキーとして、店舗名称、店舗住所などの情報が登録されている。
通信処理部（購買情報送信手段）５３は、端末登録情報読み取り部５１から読み込んだ端末情報（端末ＩＤ）、広告ＩＤ、視聴日時のデータと店舗情報のレコード（店舗ＩＤ）を、商品・広告管理装置４０に送信する。
【００４９】
［方式Ｂによる広告効果測定システムの構成例の説明］
次に、方式Ｂによる広告効果測定システムの構成例について説明する。
図６は、方式Ｂによる広告効果測定システムの構成例を示す図であり、図６に示す例では、ユーザ端末２０と広告提供装置３０とがネットワークを介して接続され、ユーザ端末２０と購買情報管理装置７０とがネットワークを介して接続され、参照情報管理装置６０と、購買情報管理装置７０と、商品・広告管理装置４０と、広告提供装置３０とがネットワークを介して接続されている。それ以外の部分では直接ネットワーク接続がなくても構わない。
【００５０】
以下、図６に示す広告効果測定システムを構成する各装置の概要について説明する。
商品・広告管理装置４０は、広告主が商品・サービス、広告管理者についてのデータを管理するための装置であり、また、広告主、広告提供者が広告を作成し、管理するための装置である。例えば広告主が提供するＷＷＷサーバ及び各種データベースからなるＷＥＢシステムであり、商品一覧、広告一覧、広告主一覧などを権限に応じて閲覧可能な情報の参照や、広告提供者による広告の登録などを行うものである。
【００５１】
広告提供装置３０は、広告提供者が各商品・サービス毎の広告を提供する装置であり、広告提供者ごとに存在する。提供する広告は、商品・広告管理装置４０の広告ＤＢ４６の内部に存在するいずれかのデータであり、広告主、または広告提供者が作成したものである。例えば個人のホームページを掲載しているＷＷＷサーバであり、リアルの店舗で販売されている商品や、提供されているサービスに関する広告が掲載されている。
【００５２】
店舗側装置（店舗端末）５０は、ユーザが商品・サービスを購入した際に、店舗情報を付加した購買情報（購入した商品の商品ＩＤ、購買日時等）をユーザ端末２０で読み取り可能な形式で出力する装置であり、店舗側が、ユーザが確かに購入したことを証明するために用いるもので、レジ（金銭登録機）に出力機能を組み込んだり、非接触ＩＣカード等を利用することができる。
【００５３】
ユーザ端末２０は、ユーザが広告提供装置３０や購買情報管理装置７０にアクセスするための装置であり、店舗側装置５０の購買情報出力部の出力データの読み取りを行ったり、同じ商品の広告を複数見て商品の購入にいたった際に、どの広告が基で購入にいたったかを選択したりするためのものである。主に携帯電話やＰＤＡ等のモバイル端末を想定しているが、店舗側の購買情報出力部５４から出力されるデータを読み取ることが可能な購買情報読取部２６を保持しており、ネットワーク接続が可能な機器であれば詳細は問わない。
【００５４】
参照情報管理装置６０は、どの端末ＩＤを持つ商品購入者が、どの広告ＩＤをもつ広告をいつ見たか、という広告の参照情報を管理する装置である。例えばＷＷＷサーバとデータベースからなるＷＥＢシステムであり、広告提供装置３０や、購買情報管理装置７０からのＨＴＴＰリクエストを基に、参照結果ＤＢ６３の参照、更新などを行うものである。
【００５５】
購買情報管理装置７０は、どのユーザが、どの広告を見て、どの商品・サービスをどこで買ったかという情報を管理し、広告の効果を測る装置である。例えばＷＷＷサーバとデータベースからなるＷＥＢシステムであり、ユーザ端末２０からのＨＴＴＰリクエストに応じて購買結果ＤＢ７４にレコードを追加することが可能なものである。
【００５６】
次に、図６に示す広告効果測定システムにおける各装置内の機能部について説明する。最初に、商品・広告管理装置４０内の各機能部について説明する。
商品・広告管理装置４０内の通信処理部４１は、広告主による商品登録要求を受け付ける。また、広告主、広告提供者による広告登録要求を受け付ける。また、店舗側装置５０から購買結果データとして、端末情報（端末ＩＤ）、広告ＩＤ、視聴日時データ、店舗ＩＤを受信する。
【００５７】
商品登録部４２は、通信処理部４１から受け取った商品登録要求を基に、商品ＤＢ４３にレコードを追加する。商品名の他、価格、広告主情報を最低限入力し、商品を一意に定める商品ＩＤに対応付けて商品ＤＢ４３に記録する。
【００５８】
広告登録部４４は、通信処理部４１から受け取った広告登録要求を基に、広告ＤＢ４６にレコードを追加する。広告登録時には広告対象となる商品の商品ＩＤ、及び広告登録者のＩＤを最低限入力し、広告を一意に定める広告ＩＤに対応付けて広告ＤＢ４６に記録する。
【００５９】
商品ＤＢ４３には、広告する対象となる商品に関する情報が格納されている。例えば、図７に示すように、商品ＤＢ４３には、商品ＩＤをキーとして、商品名等が登録される。
広告ＤＢ４６には、広告そのものに関する情報が格納されている。例えば、図７に示すように、広告ＤＢ４６には、広告ＩＤをキーとして、商品ＩＤ、広告提供者ＩＤ、売り上げ総数、広告形式、広告内容の情報等が記録される。
広告提供者ＤＢ４５には、広告提供者に関する情報が格納されている。例えば、図７に示すように、広告提供者ＤＢ４５には、広告提供者ＩＤをキーとして、ユーザ名等が登録されている。
【００６０】
次に、広告提供装置３０内の各機能部について説明する。
広告提供装置３０内の通信処理部３１は、ユーザ端末２０からの広告要求電文を受信し、ユーザ端末２０へ広告応答電文を送信する。また、ユーザ端末２０からの広告要求電文の受信時に、ユーザ端末２０から端末ＩＤを受け取り、広告提供部３２に格納されている広告ＩＤ及び日付情報と共に参照情報管理装置６０に送信する。
【００６１】
広告提供部（広告提供手段）３２は、ユーザからの広告要求電文に応じて、広告情報を返す。広告提供部３２が返す広告情報は、商品・広告管理装置４０の広告提供者ＤＢ４５に格納されているいずれかの１レコードに対応する情報となっており、それらの管理は広告提供者が広告提供装置３０を公開する際に行う。
【００６２】
次に、店舗側装置５０内の各機能部について説明する。
店舗側装置５０内の購買情報出力部（購買情報出力手段）５４は、ユーザが購入した商品・サービスについて、商品ＩＤ、及び店舗ＩＤを付加してユーザ端末２０で読み取り可能な形式で出力する。ユーザ端末２０側で読み取り可能であれば、出力形式は２次元バーコードや非接触ＩＣチップなど詳細は問わない。
店舗情報ＤＢ５２には、ユーザが商品・サービスを購入する店舗の情報が格納されている。例えば、図７に示すように、店舗情報ＤＢ５１には、店舗ＩＤをキーとして、店舗名称、店舗住所などの情報が登録されている。
【００６３】
次に、ユーザ端末２０の各機能部について説明する。
ユーザ端末２０内の通信処理部（購買情報送信手段）２１は、広告提供装置３０へ広告要求電文を送信し、広告提供装置３０から広告応答電文を受信する。また、購買情報読取部２６により店舗側装置５０から読み込んだ購買データ（商品ＩＤ、店舗ＩＤ、購入日時）に端末ＩＤを付加して購買情報管理装置７０へ送信する。また、購買情報管理装置７０へデータ送信後、同じ商品に対する複数の広告を見ていた場合、どの広告が基で商品の購入にいたったかを選択するために、視聴広告一覧データ（広告ＩＤの一覧）を受信し、広告ＩＤを１つ決定して送信する。
【００６４】
広告表示部２２は、通信処理部２１が広告提供装置３０から受け取った広告応答電文を表示する。また、同じ商品に対する複数の広告を見ていた場合、参照した広告の一覧を表示して、ユーザにどの広告が基になって購入にいたったかを選択させる画面を表示する。
【００６５】
端末情報ＤＢ２４には、端末が一意に識別可能な情報が格納されている。例えば、図７の端末情報ＤＢ２４に示すように、携帯電話なら電話番号であったり、広告サービスで登録されてあるユーザＩＤであったりと、詳細は問わない。
【００６６】
購買情報読取部（購買情報読取手段）２６は、店舗側装置５０により出力された購買情報を読み取り、通信処理部２１によって送信可能な形式に変換する。店舗側装置５０との出力形式があっていれば形式の詳細は問わない。（例えば２次元バーコードや非接触ＩＣチップなどが考えられる）
【００６７】
次に、参照情報管理装置６０内の各機能部について説明する。
通信処理部６１は、広告提供装置３０からの参照情報登録要求として広告ＩＤ、端末ＩＤを受け取る。また、商品・広告管理装置４０から商品ＩＤを受け取る。また、購買情報管理装置７０からの参照結果取得要求を受け取り、参照結果を送信する。
【００６８】
参照情報登録部６２は、広告提供装置３０から広告ＩＤ、端末ＩＤを受け取り、さらに、広告ＩＤをキーとして商品・広告管理装置４０にその広告の対象商品の商品ＩＤを取得する。その結果を参照結果ＤＢ６３に対して書き込む。
参照結果ＤＢ６３には、ユーザが視聴した広告に関する情報が格納されている。例えば、図７に示すように、参照結果ＤＢ６３には、端末ＩＤ、商品ＩＤ、広告ＩＤ、広告参照日時の情報が記録される。
【００６９】
次に、購買情報管理装置７０内の各機能部について説明する。
購買情報管理装置７０内の通信処理部７１は、ユーザ端末２０から購買情報（端末ＩＤ、商品ＩＤ、店舗ＩＤ、購入日時）を受け取る。また、参照情報管理装置６０に対して参照結果取得要求を送信し、参照結果を受信する。また、参照結果が複数件存在した場合、ユーザ端末２０に広告ＩＤのリストを送信し、ユーザが選択した１つの広告ＩＤを受け取る。
購買結果登録部７２は、受け取った購買情報を基に、購買結果ＤＢ７４に登録する。
【００７０】
参照結果照合処理部（広告効果測定手段）７３は、まず端末ＩＤ、商品ＩＤをキーとして、参照情報管理装置６０内の参照結果ＤＢ６３に対して対応する参照広告ＩＤが無いかを検索する。参照結果ＤＢ６３内に検索結果が存在する場合、その結果が１件のみであった場合、取得した広告ＩＤをキーとして、商品・広告管理装置４０内の広告ＤＢ４６に対応するレコードの売り上げ総数を１増やす。
【００７１】
参照結果ＤＢ６３内に参照結果が複数件あった場合は、通信処理部７１を通じて、ユーザ端末２０に広告ＩＤのリストを送信して広告ＩＤを１つに決定し、同様の動作を行う。
購買結果ＤＢ７４には、購買結果情報が格納されている。例えば、図７に示すように、購買結果ＤＢ７４には、端末ＩＤ、商品ＩＤ、店舗ＩＤ、購買日時の情報などが記録される。
【００７２】
なお、図６に示す広告効果測定システムにおいて、広告提供装置３０、商品・広告管理装置４０、参照情報管理装置６０、および購買情報管理装置７０は、１つのサーバ内に設けるようにしてもよい。
【００７３】
［方式Ａによる広告効果測定システムにおける処理内容の説明］
次に、方式Ａによる広告効果測定システムにおける処理の手順について説明する。図８は、方式Ａによる広告効果測定システムの各装置間での処理の流れを示す図である。以下、図８を参照してその処理の流れについて説明する。
【００７４】
最初に、広告主２は、商品・広告管理装置４０内の商品ＤＢ４３に商品・サービス情報を登録する（ステップＳ３１）。また、広告提供者３は、商品情報を基に広告を作成し、広告ＤＢ４６に登録する（ステップＳ３２）。そして、広告提供者３は広告提供装置３０により、広告ＤＢ４６に登録された広告情報を公開する（ステップＳ３３）。
【００７５】
商品購入者４の操作により、ユーザ端末２０がＷｅｂページ等により広告提供装置３０にアクセスし、広告取得要求を送信する（ステップＳ３４、Ｓ３５）。ユーザ端末２０では、広告提供装置３０から広告情報を取得した場合、視聴広告登録ＤＢ２５に、広告ＩＤ、視聴日時等の情報を保存する（ステップＳ３６）。
【００７６】
そして商品購入者４は、店舗において実際に商品またはサービスを購入する際には、ユーザ端末２０の端末内部データ表示部２３に、購入希望対象商品・サービスに関する広告参照情報を表示する（ステップＳ３７）。例えば、２次元バーコード等により表示する。
【００７７】
店舗に設置された店舗側装置５０では、端末登録情報読み取り部５１により、ユーザ端末２０に表示された広告参照情報を読み込み（ステップＳ３８）、ユーザ端末２０から店舗側装置５０に、端末情報（端末ＩＤ）、広告ＩＤ、広告参照日時（広告視聴日時）の情報が渡される（ステップＳ３９）。
【００７８】
店舗側装置５０は、商品・広告管理装置４０に対して、ユーザ端末２０から読み取った情報（端末情報、広告ＩＤ、広告参照日時）と、購買日時と、店舗情報ＤＢ５２から読み取った店舗ＩＤの情報を送信する（ステップＳ４０）。商品・広告管理装置４０では、店舗側装置５０から受信した情報を購買結果ＤＢ４９に登録すると共に、広告ＤＢ４６の売り上げ総数の情報を更新する（ステップＳ４１）。
【００７９】
その後、広告主２は、商品・広告管理装置４０内の広告ＤＢ４６の売り上げ総数の情報を参照し（ステップＳ４２）、広告ごとの売り上げ総数を基に、広告提供者３に対する報酬を決定する（ステップＳ４３）。
【００８０】
また、図９は、ユーザ端末２０に広告参照情報を表示する手順から、商品・広告管理装置４０内の広告ＤＢ４６に登録を行うまでの手順を示すフローチャートであり、より詳細な手順を示したものである。以下、図９を参照して、その手順の流れについて説明する。
【００８１】
最初に、ユーザ端末２０の端末内部データ表示部２３に広告参照情報（端末情報、広告ＩＤ、広告参照日等）を表示する（ステップＳ５１）。店舗側装置５０では、端末登録情報読み取り部５１により、ユーザ端末２０に表示された広告参照情報を読み取り（ステップＳ５２）、商品・広告管理装置４０に対し、広告参照情報（端末情報、広告ＩＤ、広告参照日等）と、購買日時と、店舗ＩＤの情報を送信する（ステップＳ５３）。
【００８２】
商品・広告管理装置４０では、広告ＩＤをキーに広告ＤＢ４６を検索し（ステップＳ５４）、広告ＤＢ内に該当するレコードがある場合には、商品ＩＤを取得し、対応するレコードの売り上げ総数を＋１増加する（ステップＳ５５、Ｓ５６）。また、購買結果ＤＢ４９に、端末ＩＤ、商品ＩＤ、店舗ＩＤ、広告参照日時、購買日時の情報を登録する（ステップＳ５７）。なお、ステップＳ５５において、広告ＩＤに対応するレコードが存在しないと判断された場合は、処理を行わずに終了する。
【００８３】
［方式Ｂによる広告効果測定システムの処理内容の説明］
次に、方式Ｂによる広告効果測定システムにおける処理の手順について説明する。図１０は、方式Ｂによる広告効果測定システムの各装置間での処理の流れを示す図である。以下、図１０を参照してその処理の流れについて説明する。
【００８４】
最初に、広告主２は、商品・広告管理装置４０内の商品ＤＢ４３に商品・サービス情報を登録する（ステップＳ６１）。また、広告提供者３は、商品情報を基に広告を作成し、広告ＤＢ４６に登録する（ステップＳ６２）。そして、広告提供者３は広告提供装置３０により、広告ＤＢ４６に登録された広告情報を公開する（ステップＳ６３）。
【００８５】
次に、商品購入者４は、ユーザ端末２０からＷｅｂページ等により広告提供装置３０にアクセスし、広告取得要求を送信する（ステップＳ６４、Ｓ６５）。広告提供装置３０は、ユーザ端末２０の端末ＩＤおよびユーザ端末２０から要求された広告の広告ＩＤを参照情報管理装置６０に送信する（ステップＳ６６）。参照情報管理装置６０では、広告ＩＤをキーとして、商品・広告管理装置４０内の商品ＩＤを検索し（ステップＳ６７）、商品ＩＤを取得する（ステップＳ６８）。また、参照結果ＤＢ６３に広告の参照情報（端末ＩＤ、商品ＩＤ、広告ＩＤ）を登録する。
その一方で、広告提供装置３０は、ユーザ端末２０に対し要求された広告情報を提供する（ステップＳ６９）。
【００８６】
それから、ユーザが購入する商品またはサービスを指定した場合には、店舗側装置５０の購買情報出力部５４に、ユーザが購入した商品、サービスについて、商品ＩＤ、店舗ＩＤ、購買日時の情報を表示する（ステップＳ７０）。ユーザ端末２０は、店舗側装置５０の購買情報出力部５４に出力された商品ＩＤ、店舗ＩＤ、購買日時の情報を読み取り（ステップＳ７１）、購買情報管理装置７０に対し、端末ＩＤ、商品ＩＤ、店舗ＩＤ、購買日時の情報を送信し、購買結果ＤＢ７４に登録する（ステップＳ７２）。
【００８７】
購買情報管理装置７０は、参照情報管理装置６０内の参照結果ＤＢ６３を参照し、商品ＩＤ、端末ＩＤをキーにして広告ＩＤを検索し（ステップＳ７３）、広告ＩＤおよび視聴日時の情報を取得する（ステップＳ７４）。また、購買情報管理装置７０は、購買結果ＤＢ７４のデータを基に、商品・広告管理装置４０内の広告ＤＢ４６の売り上げ総数を更新する（ステップＳ７５）。
【００８８】
その後、広告主２は、広告ＤＢ４６の売り上げ総数の情報を参照し（ステップＳ７６）、広告ごとの売り上げ総数を基に、広告提供者３に対する報酬を決定する（ステップＳ７７）。
【００８９】
また、図１１は、ユーザ端末２０により、店舗側装置５０に出力された購買情報を読み取る手順から、商品・広告管理装置４０内の広告ＤＢ４６に登録を行うまでの手順を示すフローチャートであり、より詳細な手順を示したものである。以下、図１１を参照して、その手順の流れについて説明する。
【００９０】
最初に、ユーザ端末２０により、店舗側装置５０の購買情報出力部５４に表示された購買情報（商品ＩＤ、店舗ＩＤ、購入日時）の情報を読み取る（ステップＳ８１）。そして、ユーザ端末２０は、購買情報管理装置７０に購買情報（端末ＩＤ、商品ＩＤ、店舗ＩＤ、購買日時）を送信し（ステップＳ８２）、購買結果ＤＢ７４に購買情報（端末ＩＤ、商品ＩＤ、店舗ＩＤ、購買日時）を登録する（ステップＳ８３）。
【００９１】
次に、購買情報管理装置７０は、参照情報管理装置６０に端末ＩＤ、商品ＩＤを送信し（ステップＳ８４）、端末ＩＤ、商品ＩＤをキーに参照結果ＤＢ６３を検索する（ステップＳ８５）。参照結果ＤＢ６３内に該当するレコードがある場合には、レコードが複数存在するかどうか確認する（ステップＳ８６、Ｓ８７）。なお、ステップＳ８６において、レコードないと判断された場合には、広告を見ないで購入に至ったと判断し処理を終了する。
【００９２】
ステップＳ８７において、参照結果ＤＢ内にレコードが１つだけ存在する場合には、広告ＩＤをキーに、商品・広告管理装置４０内の広告ＤＢ４６の売り上げ総数を＋１増加する（ステップＳ９０）。また、参照結果ＤＢ６３内にレコードが複数存在することが確認された場合には、ユーザ端末２０に複数の広告ＩＤを送信し、広告を一覧表示する（ステップＳ８８）。例えば、広告媒体の名称、タイトルなどを表示する。
【００９３】
ユーザはユーザ端末２０に表示された広告一覧より、ユーザが購買の基となった広告を１つ選択し、結果を購買情報管理装置７０に送信する（ステップＳ８９）。この結果により、購買情報管理装置７０は、広告ＩＤをキーに広告ＤＢ４６の売り上げ総数を＋１増加する（ステップＳ９０）。
【００９４】
以上、説明したように、本発明の広告効果測定システムにおいては、同一商品・サービスに対する広告を多数の広告提供者が作成した場合でも、どの広告により効果があがったのかを把握することが可能になり、報酬の支払いなどで問題が生じなくなる。
【００９５】
また、広告を確実に見た商品購入者を特定でき、広告の効果がどのくらい上がっているかを確実に知ることが出来る。
【００９６】
また、上記２つの効果により、よりインターネット上で行うアフィリエイトサービスに近い機能が実現できるため、現在インターネット上で実現しているサービスをリアルの世界にも移行できるようになる。
【００９７】
なお、本発明においては、ユーザ（商品購入者）が自分が見た広告の情報を提供しているため、商品購入者にポイント還元などのサービスを行うようにすることができる。
【００９８】
以上、本発明の実施の形態について説明したが、図４に示す各装置、および図６に示す各装置は内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。
【００９９】
すなわち、図４に示す各装置、および図６に示す各装置における、各処理は、ＣＰＵ等の中央演算処理装置がＲＯＭやＲＡＭ等の主記憶装置に上記プログラムを読み出して、情報の加工、演算処理を実行することにより、実現されるものである。
【０１００】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【０１０１】
以上、本発明の実施の形態について説明したが、本発明の広告効果測定システムは、上述の図示例にのみ限定されるものではなく、本発明の要旨を逸脱しない範囲内において種々変更を加え得ることは勿論である。
【産業上の利用可能性】
【０１０２】
本発明は、商品購入者がどの広告を見て商品を購入したかを特定できる効果を奏するので、本発明は、広告効果測定システム、および広告効果測定方法等に有用である。
【図面の簡単な説明】
【０１０３】
【図１】本発明の広告効果測定システムの概要を示す図である。
【図２】方式Ａの概要を示す図である。
【図３】方式Ｂの概要を示す図である。
【図４】方式Ａによる広告効果測定システムの構成例を示す図である。
【図５】方式Ａによる広告効果測定システム内のＤＢのデータ構成例を示す図である。
【図６】方式Ｂによる広告効果測定システムの構成例を示す図である。
【図７】方式Ｂによる広告効果測定システム内のＤＢのデータ構成例を示す図である。
【図８】方式Ａによる広告効果測定システムの各装置間での処理の流れを示す図である。
【図９】ユーザ端末での広告参照情報の表示から広告ＤＢに登録を行うまでの手順を示すフローチャートである。
【図１０】方式Ｂによる広告効果測定システムの各装置間での処理の流れを示す図である。
【図１１】ユーザ端末での購買情報の読み取りから広告ＤＢに登録を行うまでの手順を示すフローチャートである。
【符号の説明】
【０１０４】
１  広告効果測定システム
２  広告主
３  広告提供者
４  商品購入者
２０  ユーザ端末
２１  通信処理部
２２  広告表示部
２３  端末内部データ表示部
２４  端末情報ＤＢ
２５  視聴広告登録ＤＢ
２６  購買情報読取部
３０  広告提供装置
３１  通信処理部
３２  広告提供部
４０  商品・広告管理装置
４１  通信処理部
４２  商品登録部
１１、４３  商品ＤＢ
４４  広告登録部
４５  広告提供者ＤＢ
１２、４６  広告ＤＢ
４７  広告効果測定部
４８  購買結果登録部
１３、４９  購買結果ＤＢ
５０  店舗側装置
５１  端末登録情報読み取り部
５２  店舗情報ＤＢ
５３  通信処理部
５４  購買情報出力部
６０  参照情報管理装置
６１  通信処理部
６２  参照情報登録部
６３  参照結果ＤＢ
７０  購買情報管理装置
７１  通信処理部
７２  購買結果登録部
７３  参照結果照合処理部
７４  購買結果ＤＢ
【図１】
2006227817.tif 000003
【図２】
2006227817.tif 000004
【図３】
2006227817.tif 000005
【図４】
2006227817.tif 000006
【図５】
2006227817.tif 000007
【図６】
2006227817.tif 000008
【図７】
2006227817.tif 000009
【図８】
2006227817.tif 000010
【図９】
2006227817.tif 000011
【図１０】
2006227817.tif 000012
【図１１】
2006227817.tif 000013